(57)【特許請求の範囲】
【請求項１】
管理人が携帯するコンテンツ情報登録装置と、複数のエレベータの乗りかごにそれぞれ設置された複数のかご表示装置とを有するエレベータ用インフォメーションシステムにおいて、
前記コンテンツ情報登録装置は、
前記複数のかご表示装置に表示させるための複数のコンテンツ情報およびその表示順序を含む表示スケジュール情報を、転送情報として設定する転送情報設定部と、
自装置と無線通信可能なかご表示装置を検出する通信先デバイス検出部と、
前記通信先デバイス検出部で検出された中から選択されたかご表示装置との無線通信を確立し、前記転送情報設定部で設定された転送情報を無線送信する無線通信部と、
前記無線通信部において、前記選択されたかご表示装置との無線通信が確立されたときに、当該かご表示装置が設置された乗りかごのかご扉を戸開状態に保持させるための戸開指示を生成して前記無線通信部から無線送信させ、前記転送情報の送信処理が完了したとき、または戸開解除が指示されたときに、戸開解除指示を生成して前記無線通信部から無線送信させる戸開指示生成部と
を有し、
前記かご表示装置はそれぞれ、
自装置に対応するエレベータの運転状況情報を取得し、前記コンテンツ情報登録装置から受信した前記複数のコンテンツ情報を前記表示スケジュール情報に基づいて表示させるとともに前記運転状況情報を表示させるためのインフォメーション情報を生成し、また、前記コンテンツ情報登録装置から受信した戸開指示および戸開解除指示を、自装置に対応するエレベータの制御盤に送信する情報処理部と、
前記情報処理部で生成されたインフォメーション情報を表示する表示部と
を有することを特徴とするエレベータ用インフォメーションシステム。
【請求項２】
複数のエレベータの乗りかごにそれぞれ設置されたかご表示装置に表示させるための複数のコンテンツ情報およびその表示順序を含む表示スケジュール情報を、転送情報として設定する転送情報設定部と、
自装置と無線通信可能なかご表示装置を検出する通信先デバイス検出部と、
前記通信先デバイス検出部で検出された中から選択されたかご表示装置との無線通信を確立し、前記転送情報設定部で設定された転送情報を無線送信する無線通信部と、
前記無線通信部において、前記選択されたかご表示装置との無線通信が確立されたときに、当該かご表示装置が設置された乗りかごのかご扉を戸開状態に保持させるための戸開指示を生成して前記無線通信部から無線送信させ、前記転送情報の送信処理が完了したとき、または戸開解除が指示されたときに、戸開解除指示を生成して前記無線通信部から無線送信させる戸開指示生成部と
を有することを特徴とするコンテンツ情報登録装置。
【請求項３】
管理人が携帯するコンテンツ情報登録装置が、
複数のエレベータの乗りかごにそれぞれ設置されたかご表示装置に表示させるための複数のコンテンツ情報およびその表示順序を含む表示スケジュール情報を、転送情報として設定する転送情報設定ステップと、
自装置と無線通信可能なかご表示装置を検出する通信先デバイス検出ステップと、
前記通信先デバイス検出ステップにより検出された中から選択されたかご表示装置との無線通信を確立する通信確立ステップと、
前記選択されたかご表示装置との無線通信が確立されたときに、当該かご表示装置が設置された乗りかごのかご扉を戸開状態に保持させるための戸開指示を生成して前記選択されたかご表示装置に無線送信する戸開指示送信ステップと、
前記転送情報設定ステップで設定された転送情報を、前記選択されたかご表示装置に無線送信する転送情報送信ステップと、
前記転送情報の送信処理が完了したとき、または戸開解除が指示されたときに、戸開解除指示を生成して前記選択されたかご表示装置に無線送信する戸開解除指示送信ステップと
を有することを特徴とするコンテンツ情報転送方法。
【発明の詳細な説明】
【技術分野】
【０００１】
本発明の実施形態は、エレベータ用インフォメーションシステムおよびこれに利用するコンテンツ情報登録装置、コンテンツ情報転送方法に関する。
【背景技術】
【０００２】
従来、エレベータの乗りかごには表示装置が設置されており、乗りかごの現在位置を示す階床情報や、コンテンツ情報などが表示される。
【０００３】
これらの情報が表示されることにより、乗りかごに乗車している利用者は乗りかごの現在位置を把握することができ、また、コンテンツを視聴してエレベータによる移動時間を有効に利用することができる。
【先行技術文献】
【特許文献】
【０００４】
【特許文献１】特開２００４−１６８４８２号公報
【発明の概要】
【発明が解決しようとする課題】
【０００５】
上述した乗りかごの表示装置において、表示させるコンテンツの内容を変更する際には、都度、外部から表示装置にコンテンツ情報を送信する必要がある。
【０００６】
乗りかごの表示装置にコンテンツ情報を送信するには、エレベータ内の制御盤からテールコードを介して送信することが一般的であるが、その場合RS232CやRS422などの規格が用いられるため伝送速度は9600bpsが上限となる。近年、RS422の伝送速度は向上しているが、既設物件に敷設されているテールコードを利用する場合は伝送速度が速い機器を適用してもその実速度を出すことができず、実際にはテキスト文字によるコンテンツ情報程度しか送信することができない。
【０００７】
一方で、最近は動画による映像コンテンツ情報が充実しており、乗りかごの表示装置にも映像コンテンツ情報を表示させたいという要望がある。
【０００８】
ところが映像コンテンツ情報はデータ量が大きく、テキスト文字によるコンテンツ情報のデータ量の100〜1000倍程度になるため、既設のエレベータでテールコードにより映像コンテンツ情報を送信するには多大な負荷がかかり実用に耐えられない場合があるという問題があった。
【０００９】
本発明は上記事情に鑑みてなされたものであり、エレベータの乗りかご内の表示装置に、表示対象のコンテンツ情報を効率よく転送するエレベータ用インフォメーションシステムおよびこれに利用するコンテンツ情報登録装置、コンテンツ情報転送方法を提供することを目的とする。
【課題を解決するための手段】
【００１０】
上記目的を達成するための実施形態によればエレベータ用インフォメーションシステムのコンテンツ情報登録装置は、転送情報設定部と通信先デバイス検出部と無線通信部と戸開指示生成部とを有する。転送情報設定部は、かご表示装置に表示させるための複数のコンテンツ情報およびその表示順序を含む表示スケジュール情報を転送情報として設定する。通信先デバイス検出部は、自装置と無線通信可能なかご表示装置を検出する。無線通信部は、通信先デバイス検出部で検出された中から選択されたかご表示装置に転送情報を無線送信する。戸開指示生成部は、選択されたかご表示装置との無線通信が確立されたときに、当該かご表示装置が設置された乗りかごのかご扉を戸開状態に保持させるための戸開指示を生成して無線通信部から無線送信させ、転送情報の送信処理が完了したとき、または戸開解除が指示されたときに、戸開解除指示を生成して無線通信部から無線送信させる。
【図面の簡単な説明】
【００１１】
【図１】一実施形態によるエレベータ用インフォメーションシステム内の、複数の乗りかごのかご表示装置それぞれの無線送受信範囲を示す説明図。
【図２】一実施形態によるエレベータ用インフォメーションシステムの構成を示すブロック図。
【図３】一実施形態によるエレベータ用インフォメーションシステムに利用するコンテンツ情報登録装置の動作を示すフローチャート。
【発明を実施するための形態】
【００１２】
〈一実施形態によるエレベータ用のインフォメーションシステムの構成〉
本発明の一実施形態によるエレベータ用のインフォメーションシステムの構成について、図１を参照して説明する。
【００１３】
本実施形態においてエレベータ用のインフォメーションシステム１は、管理対象の２台のエレベータ（Ａ号機およびＢ号機）の乗りかご２−１、２−２にそれぞれ設置されたかご表示装置２０−１、２０−２にインフォメーション情報を表示させるものであり、コンテンツ情報登録装置１０と、乗りかご２−１、２−２にそれぞれ設置されたかご表示装置２０−１、２０−２と、かご表示装置２０−１、２０−２にそれぞれテールコード３０−１、３０−２を介して接続された制御盤４０−１、４０−２と、制御盤４０−１および４０−２に接続された中央管理装置５０とを有する。
【００１４】
コンテンツ情報登録装置１０は、管理人が携帯するタブレット端末やノートパソコンなどであり、図２に示すように、コンテンツ情報記録部１１と、ユーザインタフェース部１２と、転送情報設定部１３と、無線通信部１４と、通信先デバイス検出部１５と、接続処理部１６と、戸開指示生成部１７とを有する。
【００１５】
コンテンツ情報記録部１１は、かご表示装置２０−１、２０−２に表示させる複数の映像コンテンツ情報を記録する。
【００１６】
ユーザインタフェース部１２は、タッチパネル画面などで構成され、管理人による操作情報を入力するとともに、管理人への報知情報を表示する。
【００１７】
転送情報設定部１３は、管理人の操作によりユーザインタフェース部１２から、複数の映像コンテンツ情報の表示順序を示す表示スケジュール情報が入力されると、該当する映像コンテンツ情報をコンテンツ情報記録部１１から取得し、表示スケジュール情報とともに転送情報として設定する。
【００１８】
無線通信部１４は、無線通信可能な範囲内にあるかご表示装置２０−１、２０−２との無線通信を行い、転送情報設定部１３で設定された転送情報および戸開指示生成部１７で生成された戸開指示、戸開解除指示を該当するかご表示装置に送信する。
【００１９】
通信先デバイス検出部１５は、無線通信部１４の通信状況に基づいて、無線通信可能な範囲内にあるかご表示装置を検出する。
【００２０】
接続処理部１６は、管理人の操作により選択されたかご表示装置との無線通信を確立させるための処理を行う。
【００２１】
戸開指示生成部１７は、接続処理部１６による無線接続処理状況により、乗りかご２−１、２−２のかご扉（図示せず）の戸開指示、戸開解除指示を生成する。また、ユーザインタフェース部１２から入力された管理人の操作情報により、乗りかご２−１、２−２のかご扉の戸開解除指示を生成する。
【００２２】
かご表示装置２０−１、２０−２はそれぞれ、無線通信部２１−１、２１−２と、情報処理部２２−１、２２−２と、表示部２３−１、２３−２とを有する。
【００２３】
無線通信部２１−１、２１−２は、無線通信可能な範囲内にあるコンテンツ情報登録装置１０との無線通信を行う。
【００２４】
情報処理部２２−１、２２−２は、コンテンツ情報登録装置１０から受信した複数のコンテンツ情報を当該表示スケジュール情報に基づいて表示させるとともに、制御盤４０−１、４０−２から取得した運転状況情報を表示させるためのインフォメーション情報を生成する。また情報処理部２２−１、２２−２は、コンテンツ情報登録装置１０から受信した戸開指示および戸開解除指示を、接続された制御盤４０−１、４０−２に送信する。
【００２５】
表示部２３−１、２３−２は、情報処理部２２−１、２２−２で生成されたインフォメーション情報を表示する。
【００２６】
制御盤４０−１、４０−２は、それぞれのエレベータの運転状況情報を取得し、かご表示装置２０−１、２０−２および中央管理装置５０に送出するとともに、エレベータ内の各機器の制御を行う運転制御部４１−１、４１−２を有する。
【００２７】
中央管理装置５０は、制御盤４０−１、４０−２からそれぞれのエレベータの運転状況情報を取得し、取得した情報に基づいて群管理制御を行う。
【００２８】
〈一実施形態によるエレベータ用のインフォメーションシステムの動作〉
次に、本実施形態によるインフォメーションシステム１において、コンテンツ情報登録装置１０からＡ号機のかご表示装置２０−１にコンテンツ情報を送信し、かご表示装置２０−１において受信したコンテンツ情報と自号機の運転状況情報を表示する動作について、図３のシーケンス図を参照して説明する。
【００２９】
まず、管理人がコンテンツ情報登録装置１０のユーザインタフェース部１２を操作することにより、コンテンツ情報記録部１１に記録された中の複数の映像コンテンツ情報を所定の順序で表示させるための表示スケジュール情報が入力される（Ｓ１）。
【００３０】
ユーザインタフェース部１２から入力された表示スケジュール情報は、転送情報設定部１３に送出される。
【００３１】
転送情報設定部１３では、取得した表示スケジュール情報に該当する映像コンテンツ情報がコンテンツ情報記録部１１から取得され、表示スケジュール情報とともに転送情報として設定される（Ｓ２）。
【００３２】
このように転送情報が設定された状態で、管理人がコンテンツ情報登録装置１０を携帯してエレベータホール３のＡ号機の近くに移動し、ホールボタン（図示せず）を操作して乗場呼びを発生させる。さらに管理人の操作によりコンテンツ情報登録装置１０の通信先デバイス検出部１５を機能させて検知用電波を所定時間間隔で発信させ、これに応答したデバイスが無線通信可能な通信先デバイスとして検出される。ここでは発生した乗場呼びに応答して乗りかご２−１がエレベータホール３に近づいたことにより、図１に示すように、コンテンツ情報登録装置１０がかご表示装置２０−１の無線通信範囲Ａ1内に入り、かご表示装置２０−１が無線通信可能な通信先デバイスとして検出されたものとする。ユーザインタフェース部１２からは、無線通信可能な通信先デバイスとして検出されたかご表示装置２０−１を示すIDがユーザインタフェース部１２に表示され、管理人に報知される（Ｓ３）。
【００３３】
乗りかご２−１がエレベータホール３に着床して戸開し乗りかご内に利用者がいないことを目視で確認した後、管理人は、ユーザインタフェース部１２に表示されたIDが、コンテンツ情報を送信したい乗りかご２−１のかご表示装置２０−１のIDであるかどうかを確認する。表示されたIDがコンテンツ情報を送信したい乗りかご２−１のかご表示装置２０−１であると判断すると、管理人は当該かご表示装置２０−１を通信先として選択する操作を行う。かご表示装置２０−１が通信先として選択されると、接続処理部１６により、無線通信部１４からかご表示装置２０−１への無線通信が確立される（Ｓ４）。
【００３４】
かご表示装置２０−１との無線通信が確立されると、戸開指示生成部１７により、該当するＡ号機の乗りかご２−１のかご扉を戸開状態に保持するための戸開指示が生成され、無線通信部１４からかご表示装置２０−１に送信される（Ｓ５）。
【００３５】
かご表示装置２０−１では、コンテンツ情報登録装置１０から無線送信された戸開指示が無線通信部２１−１から受信され、情報処理部２２−１で取得される。取得された戸開指示は、テールコード３０−１を介して制御盤４０−１に送信され（Ｓ６）、運転制御部４１−１により乗りかご２−１のかご扉の戸開状態が保持される。かご扉の戸開が保持されることで、乗りかご２−１が他の階床に移動することなく、コンテンツ情報登録装置１０との無線通信可能な状態が維持される。このとき、“管理操作中であり、当該号機のエレベータが停止中である”ことをエレベータ乗り場の利用者に報知するための表示情報を乗り場の表示装置に表示させたり、音声アナウンスを出力させたりしてもよい。
【００３６】
次に、ステップＳ２で設定された転送情報が、無線通信部１４からかご表示装置２０−１に送信される（Ｓ７）。送信された転送情報はかご表示装置２０−１の無線通信部２１−１で受信され、情報処理部２２−１に送出される（Ｓ８）。
【００３７】
送信処理が完了すると、戸開指示生成部１７により乗りかご２−１のかご扉への戸開指示を解除するための戸開解除指示が生成される。生成された戸開解除指示は、無線通信部１４からかご表示装置２０−１に送信される（Ｓ９）。
【００３８】
かご表示装置２０−１では、コンテンツ情報登録装置１０から無線送信された戸開解除指示が無線通信部２１−１から受信され、情報処理部２２−１で取得される。取得された戸開解除指示は、テールコード３０−１を介して制御盤４０−１に送信され（Ｓ１０）、運転制御部４１−１により乗りかご２−１のかご扉の戸開保持状態が解除され、通常運転に戻る。
【００３９】
また情報処理部２２−１では、制御盤４０−１からＡ号機のかご位置を含む運転状況情報が取得される（Ｓ１１）。そしてコンテンツ情報登録装置１０から送信された転送情報に含まれる映像コンテンツ情報を、該当する表示スケジュール情報に基づいて表示させるとともに、取得した運転状況情報を表示させるためのインフォメーション情報が生成される。生成されたインフォメーション情報は表示部２３−１に表示され、乗りかご２−１内の利用者に提供される（Ｓ１２）。以上で、コンテンツ情報登録装置１０からかご表示装置２０−１への、映像コンテンツ情報の転送処理およびインフォメーション情報の表示処理が終了する。
【００４０】
次に管理人がコンテンツ情報登録装置１０を携帯して、エレベータホール３のＢ号機の近くに移動し、同様の操作を行うことで、コンテンツ情報登録装置１０からかご表示装置２０−２への映像コンテンツ情報の転送処理およびインフォメーション情報の表示処理を行うことができる。
【００４１】
上述した処理において、ステップＳ２で無線通信可能なかご表示装置が複数検出される場合があるが、検出されたかご表示装置のIDにより管理人が通信先のかご表示装置を確認し選択する操作を行うことで、所望のかご表示装置に確実に転送情報を送信することができる。
【００４２】
また上述した処理において、乗りかご内に利用者がいないことを管理人が目視で確認した後にコンテンツ情報の送信操作を行う場合について説明したが、他の形態として、乗りかごに設置された荷重検知装置の検知結果により利用者が乗車しているか否かを判断し、利用者がいないと判断されたときにかご表示装置でコンテンツ情報の受信を受け付けるようにしてもよい。このように処理を行うことにより、利用者の乗車中に乗りかごが停止されてコンテンツ送信処理が行われ、利用者に不都合となることを防ぐことができる。
【００４３】
また上述した処理において、運転制御部４１−１により乗りかご２−１が戸開状態に保持されている間、中央管理装置５０では、Ａ号機を群管理の対象から外して処理が継続される。このように制御することにより、建物内のエレベータの運転効率の悪化を防止することができる。
【００４４】
また、上述した実施形態においては転送情報の送信先の乗りかごを停止させて処理を行う場合について説明したが、管理人がコンテンツ情報登録装置１０を携帯して送信先の乗りかごに乗車して転送情報の送信処理を行うことで、乗りかごを停止させずに映像コンテンツ情報の転送を行うようにしてもよい。その際、管理人がコンテンツ情報登録装置１０で乗りかご２−１の戸開状態を解除する操作を行うことで、戸開指示生成部１７により乗りかご２−１のかご扉への戸開指示を解除するための戸開解除指示が生成される。生成された戸開解除指示はかご表示装置２０−１を介して制御盤４０−１に送信され、運転制御部４１−１により乗りかご２−１のかご扉の戸開保持状態が解除され、通常運転に戻る。
【００４５】
このように処理を行うことにより、建物内のエレベータの運転効率を低下させることなく処理を行うことができる。
【００４６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４７】
１…インフォメーションシステム、２−１、２−２…乗りかご、３…エレベータホール
１０…コンテンツ情報登録装置、１１…コンテンツ情報記録部、１２…ユーザインタフェース部、１３…転送情報設定部、１４…無線通信部、１５…通信先デバイス検出部、１６…接続処理部、１７…戸開指示生成部、２０−１、２０−２…表示装置、２１−１、２１−２…無線通信部、２２−１、２２−２…情報処理部、２３−１、２３−２…表示部、３０−１、３０−２…テールコード、４０−１、４０−２…制御盤、４１−１、４１−２…運転制御部、５０…中央管理装置
【図１】
0005863207.tif 000002
【図２】
0005863207.tif 000003
【図３】
0005863207.tif 000004